(57)【特許請求の範囲】
【請求項１】
ＰＣＶバルブアセンブリであって、流体流路を画定する本体を含み、
前記流体流路は、
第一の流路、パワーノズル、及び第三の流路を含む入口チャンバと連通する入口を含み、
前記第一の流路は前記入口チャンバからステアリングチャンバに延び、
前記第三の流路は前記入口チャンバから放射状ポートを通って相互作用チャンバに延び、
前記流体流路はまた、
前記パワーノズルの下流の前記相互作用チャンバを含み、
前記相互作用チャンバは、放射状相互作用壁、及び前記放射状相互作用壁に対向する接線相互作用壁を含み、
前記流体流路はさらに、
前記入口チャンバ及び前記相互作用チャンバと連通するバイパスチャンネルを含み、
前記ステアリングチャンバは、前記入口チャンバから接線ポート及び前記バイパスチャンネルに分岐し、
前記流体流路はさらに、
前記相互作用チャンバ及び出口と連通する渦チャンバと、を含み、
アセンブリは、前記流体流路の流体又はガスの流れに基づいて低流量モードと高流量モードとの間で自動的に切り替わるように構成される、
ＰＣＶバルブアセンブリ。
【請求項２】
高流量モードにおいて、前記流体又はガスは前記入口に入り、前記入口チャンバを通過して前記相互作用チャンバ及び前記バイパスチャンネルに向かい、さらに前記渦チャンバに向かい、前記流体又はガスは主流、第二の流れ、及び第三の流れを生む、
請求項１に記載のＰＣＶバルブアセンブリ。
【請求項３】
前記主流は前記パワーノズルを通過し、前記相互作用チャンバ内の前記放射状相互作用壁に沿って流れる、請求項２に記載のＰＣＶバルブアセンブリ。
【請求項４】
前記主流は前記渦チャンバに入り、前記渦チャンバ内で第一の方向に流れ、
前記第二の流れは前記ステアリングチャンバを通過して前記接線ポートを通って前記相互作用チャンバに入り、前記相互作用チャンバ内を前記第一の方向に対向する第二の方向に前記主流に隣接して流れ、
前記第三の流れは前記ステアリングチャンバと前記バイパスチャンネルを通過して、前記渦チャンバに入り、前記渦チャンバ内を前記第一の方向に対向する第二の方向に前記主流に隣接して流れる、
請求項３に記載のＰＣＶバルブアセンブリ。
【請求項５】
前記主流は前記入口チャンバを通過するとき、第一の流路軸に沿って流れ、前記相互作用チャンバを通過して前記渦チャンバに入るとき、第二の流路軸に沿って流れ、
前記第二の流路軸は前記第一の流路軸から角度を有して延びる、
請求項２に記載のＰＣＶバルブアセンブリ。
【請求項６】
前記アセンブリは、真空圧力に基づいて前記低流量モードと前記高流量モードの間で自動的に切り替わるようにチューニング可能な、
請求項１に記載のＰＣＶバルブアセンブリ。
【請求項７】
低流量モードにおいて、流体又はガスは前記入口に入り、前記入口チャンバを通過して前記相互作用チャンバと前記バイパスチャンネルに向かい、さらに前記渦チャンバに向かい、前記流体又はガスは主流、及び第二の流れを生む、
請求項１に記載のＰＣＶバルブアセンブリ。
【請求項８】
前記主流は前記パワーノズルを通過し、前記相互作用チャンバ内の前記接線相互作用壁に沿って流れる、
請求項７に記載のＰＣＶバルブアセンブリ。
【請求項９】
前記主流は前記渦チャンバに入り、第二の方向に回り、
前記第二の流れは前記相互作用チャンバに入り、前記相互作用チャンバ内を第一の方向に前記主流に隣接して流れる、
請求項８に記載のＰＣＶバルブアセンブリ。
【請求項１０】
前記主流は前記渦チャンバに入り、前記渦チャンバの外壁に沿って流れる、
請求項８に記載のＰＣＶバルブアセンブリ。
【請求項１１】
前記主流はまた前記バイパスチャンネルを通過する前記流体又はガスの流れを含み、その流れは前記渦チャンバに入るときに前記主流に巻き込まれる、
請求項１０に記載のＰＣＶバルブアセンブリ。
【請求項１２】
前記第二の流れは前記相互作用チャンバの中を前記放射状相互作用壁に沿って流れる、
請求項９に記載のＰＣＶバルブアセンブリ。
【請求項１３】
前記高流量モードと前記低流量モードの自動的切り替えは、第一のポートと第二のポートの間の流れを変化させる前記バイパスチャンネルによって可能となる、
請求項１に記載のＰＣＶバルブアセンブリ。
【請求項１４】
フルイディック付きＰＣＶバルブ流れ制御器であって、
（ａ）入口内腔を有し、第一又は左側の流路、第二又は中央の流路、及び第三又は右側の流路を画定する入口チャンバを含み、
前記第一又は左側の流路は、前記入口チャンバからステアリングチャンバに延び、
前記第二又は中央の流路は、相互作用チャンバと流体連通し、
前記第三又は右側の流路は、前記入口チャンバから放射状ポートを通って前記相互作用チャンバに延び、
フルイディック付きＰＣＶバルブ流れ制御器はまた、
（ｂ）放射状相互作用壁及び前記放射状相互作用壁から対向する接線相互作用壁を有する相互作用チャンバと、
（ｃ）連結チューブに連結するように構成された出口内腔を有する。渦チャンバと、
（ｄ）第二の、又は右側の平面横壁に対向する第一の、又は左側の曲面横壁を有し、中央流路及び前記相互作用チャンバと流体連通しているステアリングチャンバと、
（ｅ）前記第一の流路及び前記渦チャンバと流体連通しているバイパスチャンネルと、を含み、  
前記ステアリングチャンバは、前記入口チャンバから接線ポート及び前記バイパスチャンネルに分岐し、
前記制御器は真空圧力に基づいて低流量モードと高流量モードとの間で自動的に切り替える、フルイディック付きＰＣＶバルブ流れ制御器。
【請求項１５】
高流量モードにおいて、流体又はガスは入口に入り、前記入口チャンバを通過して前記相互作用チャンバ及び前記バイパスチャンネルに向かい、さらに前記渦チャンバに向かい、前記流体又はガスは主流、第二の流れ、及び第三の流れを生む、
請求項１４に記載のフルイディック付きＰＣＶバルブ流れ制御器。
【請求項１６】
前記主流は前記渦チャンバに入り、前記渦チャンバ内で第一の方向に流れ、
前記第二の流れは前記ステアリングチャンバを通過して前記接線ポートを通って前記相互作用チャンバに入り、前記相互作用チャンバ内を前記第一の方向に対向する第二の方向に前記主流に隣接して流れ、
前記第三の流れは前記ステアリングチャンバと前記バイパスチャンネルを通過して、前記渦チャンバに入り、前記渦チャンバ内を前記第一の方向に対向する第二の方向に前記主流に隣接して流れる、
請求項１５に記載のフルイディック付きＰＣＶバルブ流れ制御器。
【請求項１７】
低流量モードにおいて、流体又はガスは入口に入り、前記入口チャンバを通過して前記相互作用チャンバと前記バイパスチャンネルに向かい、さらに前記渦チャンバに向かい、前記流体又はガスは主流、及び第二の流れを生む、
請求項１４に記載のフルイディック付きＰＣＶバルブ流れ制御器。
【請求項１８】
前記主流はパワーノズルを通過し、前記相互作用チャンバ内の前記接線相互作用壁に沿って流れ、
前記主流は前記渦チャンバに入り、第二の方向に回り、
前記第二の流れは前記相互作用チャンバに入り、前記相互作用チャンバ内を第一の方向に前記主流に隣接して流れ、
前記主流は前記渦チャンバの外壁に沿って流れ、前記渦チャンバに入る、
請求項１７に記載のフルイディック付きＰＣＶバルブ流れ制御器。
【請求項１９】
システム内において改良されたＰＣＶ性能を提供する方法であって、
（ａ）エンジンのクランク室の内部容量に連結するよう構成された入口、及びＰＣＶ連結／真空チューブに連結するよう構成された出口を備えたＰＣＶバルブアセンブリを提供する方法ステップと、
（ｂ）前記ＰＣＶバルブアセンブリに、入口チャンバ、前記入口チャンバ及びステアリングチャンバと連通する第一のポート、前記入口チャンバ及び相互作用チャンバと連通するパワーノズル、前記入口チャンバ及び相互作用チャンバと放射状ポートを通って連通する第二のポート、前記第一のポート、バイパスチャンネル、及び接線ポートと連通するステアリングチャンバ、前記ステアリングチャンバ及び渦チャンバと連通する前記バイパスチャンネル、及び前記相互作用チャンバと連通する前記渦チャンバを提供する方法ステップと、
（ｃ）流体又はガスの流れを前記入口に導き、前記ＰＣＶバルブアセンブリを通って前記出口まで通過させる方法ステップと、を含む、
方法。
【請求項２０】
真空圧力のレベルを変化させるステップと、
前記流体又はガスの流れの特性を高流量モードと低流量モードとの間で切り替えるステップとをさらに含む、請求項１９に記載の方法。
【発明の詳細な説明】
【関連出願の相互参照】
【０００１】
本願は、その開示内容全てが本願に参照され援用される“ＦＬＵＩＤＩＣ  ＥＱＵＩＰＰＥＤ  ＰＣＶ  ＧＡＳ  ＦＬＯＷ  ＣＯＮＴＲＯＬＬＥＲ  ＡＮＤ  ＣＯＮＤＩＴＩＯＮ  ＲＥＳＰＯＮＳＩＶＥ  ＭＥＴＨＯＤ  ＦＯＲ  ＣＯＮＴＲＯＬＬＩＮＧ  ＣＲＡＮＫＣＡＳＥ  ＧＡＳ  ＦＬＯＷ  ＩＮ  ＡＮ  ＩＮＴＥＲＮＡＬ  ＣＯＭＢＵＳＴＩＯＮ  ＥＮＧＩＮＥ  ＣＲＡＮＫＣＡＳＥ”と題された、２０１７年３月２３日付けで出願された米国特許仮出願第６２／４７５３５４号公報に基づき優先権を主張するものである。
【技術分野】
【０００２】
本願発明は、内燃エンジンクランク室のガス体流量制御のアセンブリ及びシステムに関し、特にＰＣＶ（ｐｏｓｉｔｉｖｅ  ｃｒａｎｋｃａｓｅ  ｖｅｎｔｉｌａｔｉｏｎ、クランク室積極換気）ガス流量制御のアセンブリ、システム、及びそれらの要素に関する。
【背景技術】
【０００３】
本願発明は、内燃エンジンクランク室のガス流量制御のアセンブリ及びシステムに関し、特にエンジンの作動状態にしたがって、及びガス流量制御システムへの流量調節にもしたがって、エンジンから出る排気ガスの再循環を制御するためのＰＣＶガス流量制御のアセンブリ、及びシステムに関する。
【０００４】
ＰＣＶシステムは内燃エンジンのクランク室からガスを逃がす制御されたメカニズムを提供する。このシステムの心臓部はＰＣＶバルブであり、これは通常、変化する圧力値に応じて流量を断続的に変化させたうえで意図する目的地にガスを送る単一チャンネルの可変制限バルブ（ｖａｒｉａｂｌｅ−ｒｅｓｔｒｉｃｔｉｏｎ  ｖａｌｖｅ）である。ほとんどの現代の自動車においては意図する目的地はエンジンの吸気流である。
【０００５】
内燃エンジンでは、少量ではあるが継続的なブローバイガス（ｂｌｏｗ−ｂｙ  ｇａｓ、ピストン吹き抜けガス）の発生が避けられず、これは燃焼ガスの一部がピストンリングから漏れてクランク室に入ってしまうことによって起こる。ガスは単純な穴又はチューブにより直接外気に換気することが可能であり、又は放っておいても勝手にバッフル（ｂａｆｆｌｅ）やシャフトのオイルシールやボルト止めされた連結部のガスケットを通って漏洩し得る。これは機械工学的見地のみから見れば問題はない。しかし他の見地、例えば使用者の清潔さ及び環境保護の見地からはそのような単純な換気方法は不十分であるから、逃げようとするガスをエンジンの吸気流に戻し、より優れて有効な燃焼のために新鮮な空気がクランク室に入れるようにする閉鎖系システムを使ってオイルやガスの漏れを回避しなければならない。
【０００６】
１９世紀の終わりごろから２０世紀初期までは自動車のブローバイガスはシールやガスケットから漏れ出すことが許容されていた。オイルがエンジンの内側と外側の両方にあり、少量のオイルが地面に落ち続けることは当然だと考えられていた。軸受けやバルブの設計においてオイルや排気ガスを漏らさないようにする対策はほとんど考慮されなかった。内燃エンジンにおいて、炭化水素が豊富なブローバイガスはシールやガスケットを通るオイルを介して大気に拡散していた。ブローバイガスの多いエンジンでは垂れ流し状態であった。
【０００７】
１９６０年代初期まで、自動車のエンジンは燃焼ガスを単純な換気チューブから直接大気に排気していた。これは、通常クランク室からエンジン部の底まで延びるパイプ（「ｒｏａｄ  ｄｒａｆｔ  ｔｕｂｅ」）から成っていた。パイプの下端は大気に晒らされており車が走行中は小さい真空効果が生まれ、クランク室に溜まる燃焼ガスの吸い出しを助けていた。オイルの霧も排出され、交通量の多い道路の各車線の真ん中に油の膜ができる結果となっていた。このシステムでは、条件によってガスはどちらの方向にも移動可能であり、又は動かないこともあり得たから、「積極的」とは呼べない。
【０００８】
環境への考慮によりエンジンの燃焼ガスの制御方法の開発が始まった。ＰＣＶバルブ及びシステムは、可変で調節された空気漏れとして機能し、それによりエンジンはクランク室の燃焼ガスを戻す。大気に換気される代わりに、ガスは吸気マニフォルド（ｉｎｔａｋｅ  ｍａｎｉｆｏｌｄ）に戻され、新鮮な空気と燃料の混合気の一部として燃焼室に再度入る。エアクリーナに集められた（そして燃料インジェクションエンジンにおいては質量流量センサで計測された）空気全ては、吸気マニフォルドを通る。ＰＣＶシステムは、この空気が吸気管に流れ戻る前にそのうちの少量をブリーザ（ｂｒｅａｔｈｅｒ）を介してクランク室へ分岐させる。クランク室の積極換気システムは、新鮮な外気を連続的に使ってクランク室の汚染物質を流し出して燃焼室に導くから、「オープンシステム」である。
【０００９】
図１Ａ−１Ｄは、内燃エンジンにおける通常のＰＣＶシステムの使用例を示す。図１Ａに示され、米国特許番号５０２７７８４号明細書で説明されるとおり、内燃エンジンはシリンダヘッド１、シリンダヘッドカバー２、シリンダブロック３、及びオイルパン４を含む。先行技術の典型的なＰＣＶシステムは、シリンダヘッドカバー２を内燃エンジンの吸気流路８の一部にスロットルバルブ９の下流の位置で連結させるＰＣＶ「真空」連結ライン７を含む。シリンダヘッドカバー２に提供されたバッフルプレート１２がブローバイガスに含まれるオイル霧の第一のトラップとして機能する。ＰＣＶバルブ６の下流又は真空側のトラップチャンバ５がブローバイガスに含まれるオイル霧の第二のトラップとして機能する。トラップチャンバ５で捉えられたオイル霧はトラップチャンバ５の底壁５’に集まる。
【００１０】
エンジンの動作中にピストンからシリンダブロック３のクランク室に漏れたブローバイガスは、シリンダブロック３及びシリンダヘッド１に形成された経路を通ってシリンダヘッドカバー２の中に流れる。ＰＣＶバルブ６によって制御されたブローバイガスは次にＰＣＶ連結ライン７を通ってエンジンの吸気流路８に入り、燃焼室で燃やされる。
【００１１】
図１ＡのＰＣＶシステムは、エンジンが軽い負荷で普通のスロットル開度で回っている間は吸気マニフォルドの圧力がクランク室の圧力よりも常に小さいという事実に依存する。吸気マニフォルドの低圧によりガスが引き寄せられ、クランク室のブリーザからの空気が吸入され希釈されＰＣＶバルブを通った燃焼ガスと混合され、吸気マニフォルドに戻される。通常のＰＣＶシステムでは、ＰＣＶ連結チューブ（例えば７）はクランク室を新鮮な空気源、すなわちエアクリーナ本体に連結させる。普通エアクリーナからのきれいな空気は、エンジンクランク室内の潜在的に爆発的な雰囲気がバックファイアによって吸気マニフォルド内へ着火することを回避するために火炎面（ｆｌａｍｅ  ｆｒｏｎｔ）を阻止するスクリーン、バッフル、又はその他の簡易なシステムを通った後にこのチューブを通ってエンジンに入る。いったんエンジンに入ると空気は、燃焼副産化合物が溶けたかなりの量となる水蒸気も含む燃焼の副産物ガスを掃除して収集しながらエンジン内部を循環する。混合したガスは次にオイルの滴をトラップする別の簡単なバッフル、スクリーン、又はメッシュを通って出たのち、ＰＣＶバルブ６を通って吸気マニフォルド８に導かれる。
【００１２】
典型的なＰＣＶバルブ６は、図１Ｂ、１Ｃ、及び１Ｄに示されるように可動部品がいくつかある簡単な機構であるが、やや複雑なガスの流れ制御機能を果たす。いくつかの先行技術によるＰＣＶバルブアセンブリによれば、内部制限具１３（概してピストン又は分配軸（ｐｉｎｔｌｅ））が軽量ばね１４により「通常」位置（エンジン停止、真空度ゼロ）に保たれ、ＰＣＶの開口部全体が吸気マニフォルドに開いている。エンジンが回転すると、マニフォルドの低圧によって分配軸がＰＣＶバルブ内でマニフォルド側に引き寄せられ、開口部をエンジンの真空度対ばねの力の割合に応じて制限する。アイドリング中は吸気マニフォルドの真空度は最高に近い（図１Ｂがもっともよく示すように）。実際に発生するブローバイガスの量が最小であるのはこのときであるから、ＰＣＶバルブは大きい（しかし完全ではない）制限を提供する。エンジン負荷が増加するにつれて、バルブの真空度は徐々に減少しブローバイガスが徐々に増加する。真空度がより低いレベルにあれば、ばね１４は分配軸１３を「オープン」位置に戻し、より大量の空気流が可能となる。フルスロットルにおいて（例えば図１Ｃを参照）、真空度は水銀柱１．５から３インチと非常に小さくなる。このときＰＣＶバルブは実質的にオープンであり流れが発生し、ほとんどの燃焼ガスが「ブリーザ・チューブ」を介して逃げ、その後エンジンの吸気マニフォルドに導かれる。もしも吸気マニフォルド圧がクランク室の圧力よりも高い場合（これはターボチャージャー付エンジン、又は例えば図１Ｄを参照のインテークバックファイアなどの特殊な条件下の使用で起こり得る）、ＰＣＶバルブは閉じられ、クランク室への逆流が回避される。
【００１３】
先行技術のＰＣＶシステムにおいて、ＰＣＶシステムの部品はきれいに保たれて開いていなければならず、さもなければ空気流は不十分かもしれない。ＰＣＶバルブの誤作動はいずれエンジンの損傷につながる。可動部品が入った装置は全ていずれ故障するからガソリンエンジンの典型的なメンテナンス計画はエアフィルタ又はスパークプラグが交換されるたびにＰＣＶバルブの交換も含む。
【００１４】
ほとんどのガソリン内燃エンジンはＰＣＶバルブを利用する。ＰＣＶバルブの基本設計は（図１Ａ−１Ｄに示されるように）、乗用車に初めて使われて以来あまり変化がない。ＰＣＶバルブを定義する開口特性は、アイドリング中の流量、ゆっくり走行中の流量、遷移真空レベル、及びバックファイヤと逆流の回避、である。アイドリング中の流量はエンジンのアイドリング中（図１Ｂを参照）に起こる高真空状態でＰＣＶバルブを流れるガスの量を定める。ゆっくり走行中の流量はエンジンが例えば加速中（図１Ｃを参照）により高い回転数で回っているときの低真空状態でＰＣＶバルブを流れるガスの量を定める。遷移真空レベルはＰＣＶバルブが低流量から高流量に切り替わるときの真空レベルであり、バックファイヤと逆流の回避はマニフォルド圧がクランク室圧を上回る（図１Ｄを参照）ような稀な状況で必要とされる。適切に作動しているＰＣＶバルブは真空度が上がるにつれて下がる流量曲線を示すはずであるが、誤作動しているＰＣＶバルブはクランク室の過圧、オイル沈殿、オイル漏洩、燃費悪化、不安定なアイドリング、その他の問題を起こす結果となり得る。
【００１５】
望ましい流量曲線を得るためにほとんどのＰＣＶバルブは図１Ｂ−１Ｄに示されるようなばねと分配軸のデザインを採用し、その結果ほとんどのＰＣＶバルブ設計において、流路は変化する環状エリアであり、分配軸が直線移動するにつれて変化する。この環状開口部によって画定される開口内腔部は０．２５−０．３ミリメートルと小さいかもしれず、動作中にＰＣＶバルブアセンブリは詰まりによって閉塞されやすい。さらに、図１Ａ−１Ｄで示されるようなばね／分配軸アセンブリを有する典型的なＰＣＶバルブは、どちらかの位置から動けなくなりやすい。
【００１６】
本願発明の目的はこれらの問題を解消し、動かなくなる問題や詰まり問題の可能性を最小とし、エンジン性能を長期的に向上させるＰＣＶシステムで使用する改良され、耐久性が優れ、信頼性が高いＰＣＶバルブを提供することである。
【発明の概要】
【００１７】
本開示は、制御ポートを備えたフルイディック形状を使い、真空入力の増加につれて低下する流量出力を高い信頼性で正確に生むＰＣＶバルブアセンブリ又は流れ制御器を説明する。歴史的に、このタイプの出力曲線は条件に応答する可動部品（例えば、図１Ｂ−１Ｄに示される分配軸とばねのアセンブリ）を使ってのみ達成可能であった。本願発明の構造及び方法によれば、摩耗や故障し得る可動部品を使わずに素晴らしいＰＣＶ性能が提供される。すなわち本開示のＰＣＶバルブアセンブリには分配軸も付勢部材も存在しない。
【００１８】
ここではＰＣＶバルブアセンブリはフルイディック付きＰＣＶバルブ流れ制御器と呼ばれ得る。このアセンブリは燃費ガスの流れが入口と出口の間で２つのモードの間で流れることができるようなフルイディック形状を含む。２つのモードとは、エンジンの動作中に決定される（ｉ）高流量又は放射状モード（ｒａｄｉａｌ  ｍｏｄｅ）、及び（ｉｉ）低流量又は接線モード（ｔａｎｇｅｎｔｉａｌ  ｍｏｄｅ）である。低い真空度において、フルイディック付きＰＣＶバルブアセンブリは低い流れ抵抗により高流量を生む放射状モードで動作するようにチューニングされる。真空度が高まるにつれ（例えば、水銀柱約６インチまで）、ＰＣＶバルブアセンブリは自動的に接線モードに切り替わるようにチューニングされ、ガスの流量が下がる。真空度の特定のスイッチのセットポイント値は様々な真空度セットポイントに調節可能であり、本開示は特定のセットポイントに限定されない。１つのモードから別のモードへスイッチする能力は２つの（第一の及び第二の）コントロールポートを制御するバイパスチャンネル（ｂｙｐａｓｓ  ｃｈａｎｎｅｌ）を介して可能となる、又は感知される。バイパスチャンネルによれば、フルイディック形状のパターンが放射状モード（高流量）と、自動スイッチする接線モード（低流量）の両方で機能することが分かっている。
【００１９】
本開示のＰＣＶバルブアセンブリは、先行技術のＰＣＶバルブ６（図１Ａを参照）の代替としてエンジンのＰＣＶシステムに組み入れられたとき、優れたレベルの性能を提供する。ＰＣＶバルブアセンブリは、第一の実質的に平面な基板面に画定されるフルイディック形状を利用し、フルイディック形状は入口領域がクランク室のガス入口内腔と流体連通しているＰＣＶ制御チャンネルを画定する。ＰＣＶ制御チャンネル入口領域はステアリングチャンバ（ｓｔｅｅｒｉｎｇ  ｃｈａｍｂｅｒ）及びバイパス内腔と流体連通してもよく、それらは中心にＰＣＶ連結ライン（たとえば図１Ａ中の７）と連結するよう構成された出口内腔を有する実質的に円形の渦チャンバと流体連通する。
【００２０】
フルイディック付きＰＣＶバルブ流れ制御装置の２つの動作モード、すなわち放射状モード（高流量）及び接線モード（低流量）によれば、真空度が低いときは放射状モードでデバイスが動作し、真空度が高いレベルになると自動的に接線モードに切り替わることができる（モード切替の閾値は各エンジン又は使用目的に応じてチューニング可能）。接線モードの流量は放射状モードの流量の約５０％でもよい。その結果、アセンブリは真空度が上がるにつれて下がる流量曲線を示す。したがって、高い真空度において流量が下がり、この性能が可動部品無しで達成される。本願発明の上記の目的及び更に説明される目的、特徴、及び有利な点は下記の特定の実施形態の詳細な説明を、特に添付の図面と共に考慮すれば明らかになり、様々な図面において似た部品の指定には似た符号が使われる。
【００２１】
一実施形態において、流体流路を画定する本体を含むＰＣＶバルブアセンブリが提供される。流体流路は本体内に画定されてもよく、第一のポート、パワーノズル、及び第二のポートを含む入口チャンバと流体連通する入口を含んでもよい。パワーノズルの下流の相互作用チャンバは、放射状相互作用壁、及び放射状相互作用壁に対向する接線相互作用壁を含む。バイパスチャンネルは入口チャンバ及び相互作用チャンバと連通する。渦チャンバは、相互作用チャンバ及び出口と連通し、アセンブリは、流体流路の流体又はガスの流れに基づいて低流量モードと高流量モードとの間で自動的に切り替わるように構成されてもよい。
【００２２】
高流量モードにおいて、流体又はガスは入口に入り、入口チャンバを通過して相互作用チャンバ及びバイパスチャンネルに向かってもよく、さらに渦チャンバに向かい、流体又はガスは主流、第二の流れ、及び第三の流れを生んでもよい。主流はパワーノズルを通過し、相互作用チャンバ内の放射状相互作用壁に沿って流れてもよい。主流は渦チャンバに入り、渦チャンバ内で第一の方向に流れてもよい。第二の流れはステアリングチャンバを通過して相互作用チャンバに入り、相互作用チャンバ内を第一の方向から対向する第二の方向に主流に隣接して流れてもよい。第三の流れはステアリングチャンバとバイパスチャンネルを通過して、渦チャンバに入り、渦チャンバ内を第一の方向に対向する第二の方向に主流に隣接して流れてもよい。
【００２３】
主流は入口チャンバを通過するとき、第一の流路軸に沿って流れてもよく、相互作用チャンバを通過して渦チャンバに入るとき、第二の流路軸に沿って流れてもよい。第二の流路軸は第一の流路軸から角度を有して（ａｎｇｕｌａｒｌｙ）延びてもよい。ＰＣＶバルブアセンブリは、入口における真空圧力に基づいて低流量モードと高流量モードの間で自動的に切り替わるようにチューニング可能でもよい。
【００２４】
低流量モードにおいて、流体又はガスは入口に入り、入口チャンバを通過して相互作用チャンバとバイパスチャンネルに向かってもよく、さらに渦チャンバに向かい、流体又はガスは主流、及び第二の流れを生んでもよい。主流はパワーノズルを通過し、相互作用チャンバ内の接線相互作用壁に沿って流れてもよい。主流は渦チャンバに入り、第二の方向に回ってもよい。第二の流れは相互作用チャンバに入り、相互作用チャンバ内を第一の方向に主流に隣接して流れてもよく、第一の方向は第二の方向から対向する。主流は渦チャンバに入り、渦チャンバの外壁に沿ってボルテックス（ｖｏｒｔｅｘ）形状で流れてもよく、その後出口から出る。主流はまたバイパスチャンネルを通過する流体又はガスの流れを含んでもよく、その流れは渦チャンバに入るときに主流に巻き込まれる。第二の流れは相互作用チャンバの中を放射状相互作用壁に沿って通過してもよい。高流量モードと低流量モードの自動的切り替えは、第一のポートと第二のポートの間の流れを変化させるバイパスチャンネルによって可能となる。
【００２５】
別の実施形態において、入口内腔を有し、第一又は左側の流路、第二又は中央の流路、及び第三又は右側の流路を画定する入口チャンバを含むフルイディック付きＰＣＶバルブ流れ制御器が提供される。相互作用チャンバは、放射状相互作用壁及び放射状相互作用壁から対向する接線相互作用壁を有する。渦チャンバは、連結チューブに連結するように構成された出口内腔を有する。ステアリングチャンバは、第二の、又は右側の平面横壁に対向する第一の、又は左側の曲面横壁を有し、ステアリングチャンバは、中央流路及び相互作用チャンバと流体連通している。バイパスチャンネルは、第一の流路及び渦チャンバと流体連通しており、制御器は入口チャンバの真空圧力に基づいて低流量モードと高流量モードとの間で自動的に切り替える。
【００２６】
高流量モードにおいて、流体又はガスは入口に入り、入口チャンバを通過して相互作用チャンバ及びバイパスチャンネルに向かってもよく、さらに渦チャンバに向かい、流体又はガスは主流、第二の流れ、及び第三の流れを生む。主流は渦チャンバに入り、渦チャンバ内で第一の方向に流れる。第二の流れはステアリングチャンバを通過して相互作用チャンバに入り、相互作用チャンバ内を第一の方向に対向する第二の方向に主流に隣接して流れる。第三の流れはステアリングチャンバとバイパスチャンネルを通過して、渦チャンバに入り、渦チャンバ内を第一の方向に対向する第二の方向に主流に隣接して流れる。
【００２７】
低流量モードにおいて、流体又はガスは入口に入り、入口チャンバを通過して相互作用チャンバとバイパスチャンネルに向かい、さらに渦チャンバに向かい、流体又はガスは主流、及び第二の流れを生む。主流はパワーノズルを通過し、相互作用チャンバ内の接線相互作用壁に沿って流れる。主流は渦チャンバに入り、第二の方向に回る。第二の流れは相互作用チャンバに入り、相互作用チャンバ内を第一の方向に主流に隣接して流れる。主流は渦チャンバの外壁に沿って流れ、渦チャンバに入る。
【００２８】
別の実施形態において、エンジンのクランク室の内部容量に連結するよう構成された入口、及びＰＣＶ連結／真空チューブに連結するよう構成された出口を備えたＰＣＶバルブアセンブリを提供する方法ステップを含む、システム内において改良されたＰＣＶ性能を提供する方法が提供される。ＰＣＶバルブアセンブリ、入口チャンバ、第一のポート、パワーノズル、第二のポート、ステアリングチャンバ、バイパスチャンネル、相互作用チャンバ、及び渦チャンバが提供される。流体又はガスの流れを入口に導き、ＰＣＶバルブアセンブリを通って出口まで通過させる。入口における真空圧力のレベルを変化させる。流体又はガスの流れの特性を高流量モードと低流量モードとの間で切り替える。
【図面の簡単な説明】
【００２９】
本開示のしくみは下記の図とともに詳細な説明を参照すればよく理解できるであろう。添付の図面は明細書の一部を形成し、図中の全ての記載は本開示の一部として扱われるべきである。同様に、これらの図中の部品の相対的な位置、ならびにそれらの機能、形状、寸法、見栄えも、あたかも詳細に記述されているかのように本願開示の情報の一端を示し得る。
【００３０】
【図１Ａ】図１Ａは、先行技術に係るＰＣＶシステムの模式的正面図である。
【図１Ｂ】図１Ｂは、加速状態にある先行技術のＰＣＶシステムの模式的断面図であり、エンジンはクランク室の燃焼ガスをＰＣＶバルブを介して吸気マニフォルドに戻す。
【図１Ｃ】図１Ｃは、アイドリング状態にある先行技術のＰＣＶシステムの模式的断面図であり、エンジンはクランク室の燃焼ガスをＰＣＶバルブを介して吸気マニフォルドに戻す。
【図１Ｄ】図１Ｄは、バックファイア状態にある先行技術のＰＣＶシステムの模式的断面図であり、エンジンはクランク室の燃焼ガスをＰＣＶバルブを介して吸気マニフォルドに戻す。
【図２】図２は、本開示に係るＰＣＶバルブアセンブリの一実施形態の斜視図である。
【図３Ａ】図３Ａは、本開示に係るＰＣＶバルブアセンブリの一実施形態の平面図である。
【図３Ｂ】図３Ｂは、本開示に係るＰＣＶバルブアセンブリの放射状モードの一実施形態の平面図である。
【図３Ｃ】図３Ｃは、本開示に係るＰＣＶバルブアセンブリの接線モードの一実施形態の平面図である。
【図４】図４は、図２のＰＣＶバルブアセンブリ対可動部品を含む先行技術の従来型ＰＣＶバルブの比較結果を示すグラフである。
【図５】図５は、本開示に係るＰＣＶバルブアセンブリの一実施形態の前方斜視図である。
【図６】図６は、本開示に係る図５のＰＣＶバルブアセンブリの後方斜視図である。
【図７】図７は、本開示に係る図５のＰＣＶバルブアセンブリの側面図である。
【図８】図８は、本開示に係る図６のＰＣＶバルブアセンブリのＡ−Ａ線による断面図である。
【図９】図９は、本開示に係る図５のＰＣＶバルブアセンブリの後方図である。
【図１０】図１０は、本開示に係る図５のＰＣＶバルブアセンブリの正面図である。
【図１１】図１１は、本開示に係る図５のＰＣＶバルブアセンブリの第一の端面図である。
【図１２】図１２は、本開示に係る図５のＰＣＶバルブアセンブリの第二の端面図である。
【図１３】図１３は、本開示に係るＰＣＶバルブアセンブリの別の実施形態の前方斜視図である。
【図１４】図１４は、本開示に係る図１３のＰＣＶバルブアセンブリの後方斜視図である。
【図１５】図１５は、本開示に係る図１３のＰＣＶバルブアセンブリの側面図である。
【図１６】図１６は、本開示に係る図１４のＰＣＶバルブアセンブリのＢ−Ｂ線による断面図である。
【図１７】図１７は、本開示に係る図１３のＰＣＶバルブアセンブリの第一の端面図である。
【図１８】図１８は、本開示に係る図１３のＰＣＶバルブアセンブリの第二の端面図である。
【発明を実施するための形態】
【００３１】
本願発明の例示的実施形態がここで詳細に説明され、その例が添付の図面に示される。他の実施形態が利用可能であり、本願開示の各スコープから逸脱することなく構造的及び機能的な変更が可能であることは明らかである。さらに、本願開示のスコープから逸脱することなく様々な実施形態の特徴の組み合わせ又は変更が可能である。したがって、下記の説明は例示のみの目的で示されており、本願開示の構想及びスコープから逸脱することなく可能である例示の実施形態からの様々な代替案及び変更案を制限するものではない。
【００３２】
ここで使用されるにあたり、「例」及び「例示」の単語は例又は図示を意味する。「例」及び「例示」の単語は、態様又は実施形態が重要や最善であることを意味しない。「又は」の単語は文脈から否定されない限り排他的ではなく包括的な意味である。例えば、「ＡがＢ又はＣを採用する」という表現は全ての組み合わせを含む（例えば、ＡがＢを採用する、ＡがＣを採用する、又は、ＡがＢとＣとの両方を採用する）。付け加えると、不定冠詞は、文脈から否定されない限り概して「１つ又はそれ以上」の意味を意図する。
【００３３】
類似した部品符号が図面にわたって使用される。したがって、全ての図でアセンブリの部品が同じであったとしても特定の図においては選択された部品のみが示される。同様に発明の特定の態様がこれらの図で示されるが、下記に説明されるとおり他の態様及び配置が可能である。
【００３４】
図２−９も参照して、制御ポートを含むように画定されたフルイディック形状１１０を含み、高い信頼性で正確に真空入力の増加につれて低下する流量出力を生むＰＣＶバルブアセンブリ又は流れ制御器１００が提供される。歴史的に、このタイプの出力曲線は条件に応答する可動部品（例えば、図１Ｂ−１Ｄに示される分配軸−ばねアセンブリ）を使ってのみ達成可能であった。本願発明の構造及び方法によれば、摩耗や故障し得る可動部品無しで素晴らしいＰＣＶ性能が提供される。
【００３５】
ここで図２を参照して、ＰＣＶバルブアセンブリ１００は入口１２０及び出口１３０を含む。入口１２０は、説明されるように自動的なモード切替を可能にするようチューニングされた特定のパターンで表面に形成される輪郭を画定し得るＰＣＶバルブアセンブリ１００の本体を通して出口１３０と連通してもよい。輪郭の形状は様々なガス又は流体が中を流れることができるフルイディックのパターンでもよい。
【００３６】
構造は、接線チャンネル１２４と呼ばれる第一又は左側の流路又は通路、パワーノズル１２６と呼ばれる第二又は中央の流路又は通路、及び放射状チャンネル１２８と呼ばれる第三又は右側の流路又は通路を画定する入口チャンバ１２２を含む。入口チャンバ１２２は、入口１２０に隣接する大きい幅、及びパワーノズル１２６に向かって延びるときの狭い幅を含んでもよい。入口チャンバ１２２は、逆さワイングラスの形状を有してもよく、接線チャンネル１２４及び放射状チャンネル１２８は入口チャンバ１２２の丸く膨らんだ部分から延びる。パワーノズル１２６は相互作用チャンバ１６０と連通してもよい。
【００３７】
接線チャンネル１２４は入口チャンバ１２２からステアリングチャンバ１４０に延びてもよい。ステアリングチャンバ１４０は入口チャンバ１２２から第一の又は接線ポート１４２、及びバイパスチャンネル１５０に分岐する。ステアリングチャンバは概して腎臓形状を有し、入口チャンバ及び渦チャンバ１８０と流体連通してもよい。
【００３８】
放射状チャンネル１２８は第二の又は放射状ポート１４４へ延びてもよい。接線ポート１４２及び放射状ポート１４４は延びて、パワーノズル１２６から下流のフルイディック形状内の位置で主流路内に復帰してもよい。この交差点はセットバック領域１５２と呼ばれてもよく、パワーノズル１２６に隣接する相互作用チャンバ１６０の部分はパワーノズル１２６の幅より大きい幅を含む。接線ポート１４２及び放射状ポート１４４はパワーノズル１２６の反対側にあってもよく、第一の流れ軸１７０の対向する側で互いに並ぶ。第一の流れ軸１７０はパワーノズル１２６を通って入口チャンバ１２２に沿って相互作用チャンバ１６０内へ長手方向に延びてもよい。接線チャンネル１２４及び接線ポート１４２は放射状チャンネル１２８及び放射状ポート１４４に対し、概して非対称な形状を含んでもよい。
【００３９】
相互作用チャンバ１６０は接線相互作用壁１６２及び放射状相互作用壁１６４によって画定されてもよい。接線相互作用壁１６２は接線ポート１４２から延び、曲がったパターンを含んでもよく、接線相互作用壁１６２はセットバック領域１５２及び第一の流れ軸１７０に対して拡張する角度のある部分（ａｎｇｕｌａｒ  ｐｏｒｔｉｏｎ）で延び、その後第一の流れ軸１７０に向かって曲がった遷移域で合流する。放射状相互作用壁１６４は、第一の流れ軸１７０の接線相互作用壁１６２から対向する側に沿って延びてもよい。放射状相互作用壁１６４は放射状ポート１４４から延び、放射状ポート１４４に隣接する短い直線部分を含んでもよく、図３Ａに示されるように第一の流れ軸１７０から離れて延び、概して第二の流れ軸１７２と並ぶ拡張する角度のある部分に遷移してもよい。接線相互作用壁１６２は、放射状相互作用壁１６４に対し、概して非対称な形状を含んでもよい。この非対称形状はセットバック領域１５２を画定する壁に位置してもよく、セットバック領域１５２から下流の壁に沿って延びてもよい。
【００４０】
バイパスチャンネル１５０は、ステアリングチャンバ１４０から延び、渦チャンバ１８０に隣接して相互作用チャンバ１６０と交差してもよい。バイパスチャンネル１５０は、ステアリングチャンバから相互作用チャンバ１６０へ延びるにしたがって狭くなってゆく特定の構成を含んでもよい。
【００４１】
渦チャンバ１８０は概して円形構成を有してもよく、出口１３０と連通する。出口１３０は渦チャンバ１８０の中央部に沿って位置してもよく、第二の流れ軸１７２に沿って位置してもよい。渦チャンバ１８０は、相互作用チャンバ１６０の放射状相互作用壁１６４の端部からバイパスチャンネル壁１５４の端部まで延びる外壁１８２によって画定されてもよい。出口１３０はＰＣＶ連結チューブ（図示なし）と連結するように構成されてもよい。
【００４２】
出口１３０は、下記に説明するように動作中に様々なモードから自動的に切り替え可能なようにＰＣＶバルブアセンブリのフルイディック形状が特定の状態でチューニング可能であるように、第二の流れ軸１７２が第一の流れ軸から角度をもって延び得るように入口１２０からオフセットしてもよい。説明される構成は、エンジンの動作中に決定される２つの動作モードを可能にし、それらは（ａ）高流量・放射状モード（図３Ｂ）、及び（ｂ）低流量・接線モード（図３Ｃ）である。
【００４３】
低い真空度において、ＰＣＶバルブアセンブリ１００は放射状モードで高流量（流れ抵抗が低いため）を生むように動作するようにチューニングされてもよい。このモードでは、流体又はガスは入口１２０から入り、入口チャンバ１２２を通って接線チャンネル１２４、パワーノズル１２６、及び放射状チャンネル１２８の方へ流れる。流体・ガスの流れは圧力とフルイディックパターンの形状の相互作用によって特定の動作をし得て、主流２００、第二の流れ２１０、及び第三の流れ２２０が生成されてもよい。主流２００、第二の流れ２１０、及び第三の流れ２２０は図３Ｂに流体又はガスの流路線によって示される。主流２００は、概してパワーノズル１２６を通過し、相互作用チャンバ１６０内の放射状相互作用壁１６４に沿う方向に流れる。主流２００は、相互作用チャンバ１６０を通って渦チャンバ１８０内に入るとき、概して第二の流れ軸１７２（図２）に沿って流れてもよい。主流２００は渦チャンバ１８０内に延び、外壁１８２の対向する側に向かって流れ、図３Ｂに示されるように時計回り方向に回ってもよい。第二の流れ２１０は、ステアリングチャンバ１４０を通過し、パワーノズル１２６に隣接する接線ポート１４２を通って相互作用チャンバ１６０に入ることにより発達し得る。第二の流れ２１０は、相互作用チャンバ１６０の中を主流２００の隣で概して反時計回りの構成で流れてもよい。第三の流れ２２０は、ステアリングチャンバ１４０及びバイパスチャンネル１５０を通過して渦チャンバ１８０内に入ることにより発達し得る。第三の流れ２２０は、主流２００の隣で渦チャンバ１８０を通過し反時計回り方向に流れてもよい。
【００４４】
さらに、ＰＣＶバルブアセンブリ１００が放射状モードにある間、放射状モードにおける動作中、第二の流れ２１０は、接線チャンネル１２４及び接線ポート１４２を通って相互作用チャンバ１６０の左側に向かう流体又はガスの規定された最低流量の流れを含んでもよい。この場合、放射状チャンネル１２８及び放射状ポート１４４からの流体又はガスの流れは、接線チャンネル１２４及び接線ポート１４２からの流れよりも少ないはずである。さらに、パワーノズル１２６を通る流体又はガスの流れもまたベンチュリ効果を発生させる規定の値であってもよく、放射状ポート１４４を通る流れよりも接線ポート１４２を通って相互作用チャンバ１６０に導かれる流体又はガスの流れの量が増加する。流体又はガスの流れがバイパスチャンネル１５０を通ることや、接線ポート１４２を通って相互作用チャンバ１６０に入ることができて、フルイディック回路が放射状モードに留まるようにフルイディック形状をチューニングすることが望ましいかもしれない。また、接線ポート１４２を通るよりも放射状チャンネル１２８及び放射状ポート１４４を通る流体又はガスの流れが大きい場合、第二の流れ２１０を形成させる流れが相互作用チャンバ１６０内の接線相互作用壁１６２に沿って流れず、この第二の流れ２１０が主流２００を放射状相互作用壁１６４に対して保持又は位置させるものであるから、フルイディック回路は接線モードに切り替わる可能性が高い。
【００４５】
真空度が高くなると（例えば、水銀柱約６インチまで）、ＰＣＶバルブアセンブリは、自動的に接線モードに切り替わり得て、流量が下がる。このモードでは、流体・ガスの流れは圧力とフルイディックパターンの形状の相互作用によって特定の動作をし得て、主流２００’、及び第二の流れ２１０’が生成されてもよい。主流２００’、及び第二の流れ２１０’は図３Ｃに流体又はガスの流路線によって示される。主流２００’は、概してパワーノズル１２６を通って横切り、相互作用チャンバ１６０内の接線相互作用壁１６２に沿って流れる。主流２００’は、相互作用チャンバ１６０を通って渦チャンバ１８０内に入り、外壁１８２に沿って流れ、渦又はボルテックスとなった後出口１３０から出てもよい。主流２００はまた、バイパスチャンネル１５０を横切り、渦チャンバ１８０内に入るとき、主流２００’に巻き込まれる流体又はガスの流れを含んでもよい。主流２００’は、図３Ｃに示されるように渦チャンバ１８０内で概して反時計回り方向に流れる。第二の流れ２１０’は、入口チャンバ１２２及び放射状チャンネル１２８を横切り、放射状ポート１４４とパワーノズル１２６を通って相互作用チャンバ１６０に入ることにより発達し得る。第二の流れ２１０’は、相互作用チャンバ１６０の中を主流２００’の隣で概して時計回りの構成で、概して放射状相互作用壁１６４に沿って流れてもよい。
【００４６】
１つのモードから別のモードに切り替わる必要性は、放射状ポート１４４を通る流れに対して変化し得る接線ポート１４２を通る流れを制御するバイパスチャンネル１５０を介して可能とされる、又は感知される。放射状ポート１４４を通る流れは比較的変化が少なく、接線ポート１４２を通る流れは放射状ポート１４４を通る流れに対して変化し得て、これが説明されたモードの切り替えにつながる。
【００４７】
始動時、放射状チャンネル１２８内の流体又はガスの流れは、接線チャンネル１２４内の流体又はガスの流れよりも低いはずであり、これによりアセンブリが動作中に放射状モード及び接線のモードの間で自動的に切り替え可能となる。動作中、バイパスチャンネル１５０を通る流体又はガスの流れは相互作用チャンバ１６０内の流体又はガスの流れよりも概して低いはずであり、これによりアセンブリが動作中に放射状モード及び接線モードの間で自動的に切り替え可能となる。
【００４８】
ＰＣＶバルブアセンブリ１００は、エンジンのＰＣＶシステムに組み入れられたとき優れたレベルの性能を提供し得る（例えば、先行技術のＰＣＶバルブ６と交換し、図１Ａのシステムと比較して改良されたＰＣＶシステムを提供する）。ＰＣＶバルブアセンブリは、第一の実質的に平面な基板面に画定されたフルイディック形状を利用し、フルイディック形状はクランク室のガス吸気内腔と流体連通する入口チャンバを画定する。入口チャンバは、ＰＣＶ連結ライン（例えば符号７）と連結するように構成された出口内腔と流体連通する。
【００４９】
デバイスは、低い真空レベルでは放射状モードで動作し、より高い真空レベルで自動的に接線モードに切り替わり得る。モード切替えの閾値は各エンジン又は使用目的に応じてチューニング可能でもよい。同様に、アセンブリはより高い真空レベルでは接線モードで動作し、より低い真空レベルで自動的に放射状モードに切り替わり得る。一実施形態において、接線モードの流量は放射状モードの流量の約５０％であってもよい（例えば図４にプロットされた性能を参照）。このグラフは、ＰＣＶバルブアセンブリが、可動部品や詰まりやすい狭い流路が無いにもかかわらず、真空度が高くなると低下する流量曲線を有することを示す。グラフは約３０キロパスカル（ｋＰＡ）まで放射状又は高流量モードを示し、約３０ｋＰＡより上では接線モード又は低流量モードを示す。この実施形態において、放射状モードから接線モードへの切り替わりは約３０ｋＰＡと４０ｋＰＡとの間で起こる。加えて、放射状モードは約２５毎分スタンダードリットル（ｓｌｐｍ）から約４５ｓｌｐｍの間の流量を示し、接線モードは約２０ｓｌｐｍから約３０ｓｌｐｍの間の流量を示す。その結果、吸気マニフォルドで測定した真空レベルが高くなると流量は低下し、この性能が付勢部品や分配軸などの可動部品を使うことなく達成される。
【００５０】
図５から１２は、中に形成されるＰＣＶバルブアセンブリのフルイディック形状を含む本体を様々な方向から示すために提供される。キャップ又は面（図示なし）がＰＣＶバルブアセンブリの本体に取り付けられ、本体にフルイディック形状を備えたフルイディック流路が作られ、システム（すなわち内燃エンジンシステムなど）内の連結用の入口及び出口が画定されることは明らかである。フルイディック形状１１０の外に位置する穴はキャップ又は別の面（図示なし）をＰＣＶバルブアセンブリに取り付けるために使用してもよい。図８は図６のＡ−Ａ線による断面図を示し、本体の後ろ側を通る方向で出口から流出できることを示す。また、これにより入口１２０に取り付けられた入口内腔と出口１３０に取り付けられた出口内腔との間に概してオフセットされ平行な連結が可能となる。
【００５１】
図１３から１８は、ＰＣＶバルブアセンブリ３００の別の実施形態を様々な方向から示すために提供される。この実施形態において、本体は中に形成されたフルイディック形状を含む。加えて、出口１３０’は渦チャンバ１８０から延び、図１６に示されるように本体の端部から出る。図１６は、図１４のＢ−Ｂ線による断面図を示し、本体の端部を通る方向で出口から流出できることを示す。また、これにより入口１２０に取り付けられた入口内腔と出口１３０’に取り付けられた出口内腔との間に概してオフセットされ平行な連結が可能となる。しかし、ＰＣＶバルブアセンブリ１００、３００の構成の様々な他の構成も可能であり、本開示は限定的ではない。
【００５２】
一実施形態において、ＰＣＶバルブアセンブリ１００、３００本体の長さは約６５ミリメートルであり、２１ｋＰＡ（真空）において約４２ｌｐｍの流体又はガスの最大流量が可能である。一実施形態において、出口１３０、１３０’は約１．５ミリメートルの直径を有してもよい。
【００５３】
本願開示の実施形態は添付の図面で示され、上記の詳細な説明により説明されているが、本開示は開示された実施形態のみに限定されるものではなく、ここで説明される本開示は下記の請求項のスコープから逸脱することなく無数の置き換え、修正、交換が可能であることは明らかである。下記の請求項は、請求項又はそれに同等なもののスコープ内であり得る全ての修正及び変更を含むことを意図している。
【００５４】
したがって、本明細書は、添付の請求項の構想及びスコープ内のそのような変更、修正、及び変化全てを含むことを意図している。さらに、詳細な説明又は請求項で使用される範囲において、「含む」という用語は包括的であることを意図している。
【図１Ａ】
0006906625.tif 000002
【図１Ｂ】
0006906625.tif 000003
【図１Ｃ】
0006906625.tif 000004
【図１Ｄ】
0006906625.tif 000005
【図２】
0006906625.tif 000006
【図３Ａ】
0006906625.tif 000007
【図３Ｂ】
0006906625.tif 000008
【図３Ｃ】
0006906625.tif 000009
【図４】
0006906625.tif 000010
【図５】
0006906625.tif 000011
【図６】
0006906625.tif 000012
【図７】
0006906625.tif 000013
【図８】
0006906625.tif 000014
【図９】
0006906625.tif 000015
【図１０】
0006906625.tif 000016
【図１１】
0006906625.tif 000017
【図１２】
0006906625.tif 000018
【図１３】
0006906625.tif 000019
【図１４】
0006906625.tif 000020
【図１５】
0006906625.tif 000021
【図１６】
0006906625.tif 000022
【図１７】
0006906625.tif 000023
【図１８】
0006906625.tif 000024